(57)【特許請求の範囲】
【請求項１】
複数の操作ボタンを並べて配置し、各操作ボタンを介して基板上の各スイッチが押圧可能に構成されている電子機器において、
複数の第１の操作ボタンが離間して形成される第１のボタンユニットと、
第２の操作ボタンが形成される第２のボタンユニットと、を備え、
前記第１のボタンユニットには、前記複数の第１の操作ボタンのうちの２つの第１の操作ボタンを離間して連結すると共に弾性力により押圧された操作ボタンを復帰させる連結部が形成され、
前記第２の操作ボタンが前記２つの第１の操作ボタンの間に位置し、前記連結部が前記第２の操作ボタンの下に位置するように、前記第１のボタンユニットおよび前記第２のボタンユニットを配置することを特徴とする電子機器。
【請求項２】
前記第２の操作ボタンには、被押圧面であるキートップの裏面に前記連結部が位置する切欠き部が形成されることを特徴とする請求項１に記載の電子機器。
【請求項３】
前記第１の操作ボタンおよび前記第２の操作ボタンには、被押圧面であるキートップと、前記キートップの裏面から垂直に延びて前記スイッチを押圧可能なスイッチ押圧部とがそれぞれ形成され、
前記スイッチ押圧部は、発光素子からの光を導光する導光部材と一体に構成されていることを特徴とする請求項１または２に記載の電子機器。
【請求項４】
前記電子機器は、穴部が形成される固定部材を備え、
前記連結部には、突起部が形成され、
前記突起部が前記穴部に挿入されることで、前記連結部は前記固定部材に固定されることを特徴とする請求項１ないし３のいずれか１項に記載の電子機器。
【請求項５】
複数の操作ボタンを並べて配置し、各操作ボタンを介して基板上の各スイッチが押圧可能に構成されている電子機器において、
複数の第１の操作ボタンが離間して形成される第１のボタンユニットと、
複数の第２の操作ボタンが離間して形成される第２のボタンユニットと、を備え、
前記第１のボタンユニットには、前記複数の第１の操作ボタンのうちの２つの第１の操作ボタンを離間して連結すると共に弾性力により押圧された操作ボタンを復帰させる第１の連結部が形成され、
前記第２のボタンユニットには、前記複数の第２の操作ボタンのうちの２つの第２の操作ボタンを離間して連結すると共に弾性力により押圧された操作ボタンを復帰させる第２の連結部が形成され、
前記第２の操作ボタンが前記２つの第１の操作ボタンの間に位置し、前記第１の連結部が前記第２の操作ボタンの下に位置し、前記第１の操作ボタンが前記２つの第２の操作ボタンの間に位置し、前記第２の連結部が前記第１の操作ボタンの下に位置するように、前記第１のボタンユニットおよび前記第２のボタンユニットを配置することを特徴とする電子機器。
【請求項６】
前記第１のボタンユニットには、被押圧面である第１のキートップの裏面に前記第２の連結部が位置する第１の切欠き部が形成され、
前記第２のボタンユニットには、被押圧面である第２のキートップの裏面に前記第１の連結部が位置する第２の切欠き部が形成されることを特徴とする請求項５に記載の電子機器。
【請求項７】
前記電子機器は、複数の穴部が形成される固定部材を備え、
前記第１の連結部には、第１の突起部が形成され、
前記第２の連結部には、第２の突起部が形成され、
前記第１の突起部および前記第２の突起部が前記穴部にそれぞれ挿入されることで、前記第１の連結部および前記第２の連結部は、前記固定部材にそれぞれ固定されることを特徴とする請求項５または６に記載の電子機器。
【請求項８】
前記第１のボタンユニットには、前記第１の連結部が両側に形成される両持ち操作ボタンと、前記第１の連結部が片側に形成される片持ち操作ボタンが形成され、
前記片持ち操作ボタンと前記第１の突起部との間の前記第１の連結部の結合部の大きさを、前記両持ち操作ボタンと前記第１の突起部との間の前記第１の連結部との結合部の大きさより大きくすることを特徴とする請求項７に記載の電子機器。
【発明の詳細な説明】
【技術分野】
【０００１】
本発明は、複数の操作ボタンを有する電子装置に関する。
【背景技術】
【０００２】
近年、高性能で小型の電子機器の需要が益々増大し、複数の操作ボタンを有する電子装置の一層の小型化が要求されている。従来の電子機器は、複数の操作ボタンを一列に並べて狭いスペース内に収めている。
【０００３】
例えば、特許文献１の電子装置は、一対の構成部材を上下に結合してケースに固定している。各構成部材は、帯状のベースと、ベースの長手方向に直交して延びてベースに支持部を介して支持され、ベースの長手方向に等間隔で並んだ複数の操作ボタンと、を有する。上下の構成部材が結合されると、それらの操作ボタンはベースの長手方向に交互に並ぶ。ケースは操作ボタンを露出し、ケースの突起をベースの取付穴に嵌合すると共にベースをケースに接着することによってケースと構成部材は固定される。
【特許文献１】特開平１０−２９４０４４号公報
【発明の開示】
【発明が解決しようとする課題】
【０００４】
特許文献１では、操作ボタンの被押圧面（上面）であるキートップに垂直な方向から見た場合にキートップの外部に張り出したベースや支持部が電子装置の小型化を妨げている。また、キートップに垂直な方向においても、構成部材が上下に結合されるためにベースと支持部の２枚分のスペースが必要となる。また、ケースの突起をベースの取付穴に挿入する際にベースや支持部が変形して操作ボタンの操作性が悪くなる。更に、ベースとケースとの間の接着は、操作ボタン操作時の応力により、剥がれ易くなる。
【０００５】
本発明の目的は、小型の電子装置を提供することにある。
【課題を解決するための手段】
【０００６】
本発明の一側面は、複数の操作ボタンを並べて配置し、各操作ボタンを介して基板上の各スイッチが押圧可能に構成されている電子機器において、複数の第１の操作ボタンが離間して形成される第１のボタンユニットと、第２の操作ボタンが形成される第２のボタンユニットと、を備え、前記第１のボタンユニットには、前記複数の第１の操作ボタンのうちの２つの第１の操作ボタンを離間して連結すると共に弾性力により押圧された操作ボタンを復帰させる連結部が形成され、前記第２の操作ボタンが前記２つの第１の操作ボタンの間に位置し、前記連結部が前記第２の操作ボタンの下に位置するように、前記第１のボタンユニットおよび前記第２のボタンユニットを配置することを特徴とする。
また、本発明の一側面は、複数の操作ボタンを並べて配置し、各操作ボタンを介して基板上の各スイッチが押圧可能に構成されている電子機器において、複数の第１の操作ボタンが離間して形成される第１のボタンユニットと、複数の第２の操作ボタンが離間して形成される第２のボタンユニットと、を備え、前記第１のボタンユニットには、前記複数の第１の操作ボタンのうちの２つの第１の操作ボタンを離間して連結すると共に弾性力により押圧された操作ボタンを復帰させる第１の連結部が形成され、前記第２のボタンユニットには、前記複数の第２の操作ボタンのうちの２つの第２の操作ボタンを離間して連結すると共に弾性力により押圧された操作ボタンを復帰させる第２の連結部が形成され、前記第２の操作ボタンが前記２つの第１の操作ボタンの間に位置し、前記第１の連結部が前記第２の操作ボタンの下に位置し、前記第１の操作ボタンが前記２つの第２の操作ボタンの間に位置し、前記第２の連結部が前記第１の操作ボタンの下に位置するように、前記第１のボタンユニットおよび前記第２のボタンユニットを配置することを特徴とする。
【０００７】
本発明の更なる目的又はその他の特徴は、以下、添付図面を参照して説明される好ましい実施例によって明らかにされるであろう。
【発明の効果】
【０００８】
本発明によれば、小型の電子装置を提供することができる。
【発明を実施するための最良の形態】
【０００９】
以下、添付図面を参照して、本発明の一実施例のデジタルカメラ（電子機器）について説明する。
【実施例１】
【００１０】
図１は、本発明の実施例１のデジタルカメラ１００の正面側の斜視図、図２はデジタルカメラ１００の背面側の斜視図、図３はデジタルカメラ１００の底面図、図４はデジタルカメラ１００の背面側の分解斜視図である。図２に示すように、Ｘ方向、Ｙ方向及びＺ方向をデジタルカメラ１００の長さ方向、高さ方向、奥行き方向に設定する。Ｘ方向、Ｙ方向及びＺ方向はそれぞれ直交する。
【００１１】
１０１は撮影光学系を構成する鏡筒、１０２はカメラ上部を覆う上カバー、１０３、１０４、１０５はそれぞれ前カバー、背面カバー、側面カバー、１０６は基板に実装された端子類を保護するコネクタカバーである。
【００１２】
図４に示すように、背面カバー（筐体）１０４は、略四角柱形状の凹部１０４ａを有する。凹部１０４ａは、後述する電子装置２００の少なくとも一部、即ち、ボタンユニット２２０及び２３０を収納する。凹部１０４ａの下には後述する電子装置２００の基板２１０が固定される。凹部１０４ａは、ＸＹ平面と平行である底面とＺ方向に延びる４つの側面により形成されている。凹部１０４ａは、４つの円柱形状の穴部１０４ｂ、９つの四角柱形状の穴部１０４ｃ、２つの四角柱形状の穴部１０４ｄを有する。
【００１３】
各穴部１０４ｂは、Ｙ方向においては凹部１０４ａの中央に設けられ、Ｚ方向に延びる貫通孔であり、後述するスイッチ押圧部を対応するスイッチに案内する。４つの穴部１０４ｂは、Ｘ方向に等間隔で並んでいる。穴部１０４ｃは、図４に示す凹部１０４ａの左端にのみＹ方向に２つ設けられている。但し、残りの７つの穴部１０４ｃは、Ｙ方向においては凹部１０４ａの中央に設けられ、Ｚ方向に延びる貫通孔であり、後述する係止部が挿入される。７つの穴部１０４ｃは、Ｘ方向に等間隔で並んでいる。穴部１０４ｄは、図４において左から二番目の穴部１０４ａのＹ方向下側（図示せず）と、左から三番目の穴部１０４ａのＹ方向上側に設けられている。穴部１０４ｄには、後述する連結部の突起が挿入される。
【００１４】
１０７は、ポップアップストロボであり、図１及び図２の収納状態と非図示の起立状態の間でカメラ本体に対して移動可能に構成されている。１０８はＡＦ補助光窓、１０９は撮影画像の確認・再生、撮影条件などの各種情報を表示する液晶表示装置である。１１０は操作ダイヤルであり、中央の操作ボタンと周囲のダイヤルから構成され、回動可能で且つ上下左右４箇所に押し込み可能である。
【００１５】
１１１はストラップ紐を通す孔を備えたストラップリング、１１３は撮影準備及び撮影開始機能を備えた所謂レリーズ操作ボタンである。１１２は光学式変倍機能或いはデジタル式変倍機能において、倍率調節用のズームレバーであり、レリーズ操作ボタン１１３の中心に回動可能に設けられている。１１４はカメラ本体の電源のＯＮ／ＯＦＦを行うパワー操作ボタン、１１５は各種撮影モードを選択するモードダイヤル、１１６はカメラ本体に対してスライド及び回動動作が可能な電池蓋である。１１７は電池蓋１１６の不用意なスライドを抑止する電池蓋ロックレバー、１１８はカメラ本体を三脚台に固定する際に使用される三脚穴である。
【００１６】
デジタルカメラ１００は、図４に示すように、電子装置２００を有する。電子装置２００は、複数の操作ボタンを一列に配置し、各操作ボタンを介して基板上の各スイッチが押圧可能に構成されており、基板２１０と、一対のボタンユニット２２０及び２３０と、を有する。
【００１７】
基板２１０は、カメラ本体内に図示しないネジ穴１２１を介して固定されたシャーシ１２０に保持され、硬質プリント基板又はフレキシブルプリント基板から構成される。基板２１０は、操作ボタンの数に対応した４つの（電気）スイッチ２１２、２１４、２１６及び２１８を有する。基板２１０は、帯状形状を有してＸ方向に延びる。スイッチ２１２乃至２１８は、等間隔で配置された円形形状を有し、Ｘ方向に並んでいる。後述するように、スイッチ２１２乃至２１８は操作ボタンが押圧されるとオンになり、押圧が解除されるとオフとなる。
【００１８】
ボタンユニット（第１のボタンユニット）２２０は、導光部材２２１と、一対の操作ボタン２２２及び２２４と、連結部２２６とを有する。ボタンユニット（第２のボタンユニット）２３０は、一対の操作ボタン２３２及び２３４と、連結部２３６とを有する。
【００１９】
導光部材２２１は操作ボタン２２２に接着等により固定され、ある機能を選択すると導光部材２２１の直下に備えられたＬＥＤ（Ｌｉｇｈｔ  Ｅｍｉｔｔｉｎｇ  Ｄｉｏｄｅ）等の発光素子が発光し、該機能を選択した状態であることをユーザに告知する。
【００２０】
一対の操作ボタン２２２及び２２４はＸ方向に離れており、一対の操作ボタン２３２及び２３４はＸ方向に離れている。操作ボタン２２２、２２４、２３２、２３４はユーザが撮影条件などを設定する際に押圧されるボタンである。
【００２１】
操作ボタン２２２のＸ方向の長さ（即ち、その端面２２２ａから２２２ｂまでの距離）をＬ１１、操作ボタン２２４のＸ方向の長さ（即ち、その端面２２４ａから２２４ｂまでの距離）Ｌ１２とする。また、操作ボタン２２２及び２２４のＸ方向の間隔（即ち、操作ボタン２２２の端面２２２ｂから操作ボタン２２４の端面２２４ａまでの距離）をＬ１３とする。同様に、操作ボタン２３２のＸ方向の長さ（即ち、その端面２３２ａから２３２ｂまでの距離）をＬ２１、操作ボタン２３４のＸ方向の長さ（即ち、その端面２３４ａから２３４ｂまでの距離）Ｌ２２とする。また、操作ボタン２３２及び２３４のＸ方向の間隔（即ち、操作ボタン２３２の端面２３２ｂから操作ボタン２３４の端面２３４ａまでの距離）をＬ２３とする。すると、Ｌ１１＝Ｌ１２＝Ｌ２１＝Ｌ２２＝Ｌ、Ｌ１３＝Ｌ２３≒Ｌが成立する。
【００２２】
このように、操作ボタン２２２、２２４、２３２及び２３４はＸ方向の長さは、全てＬで等しい。また、操作ボタン２２２及び２２４の間隔と、操作ボタン２３２及び２３４の間隔は等しく若干Ｌよりも大きい。また、操作ボタン２２２、２２４、２３２及び２３４のＹ方向の長さもＨで等しい。操作ボタン２２２、２２４、２３２及び２３４は、それぞれ上から見ると略同じ長方形形状をしているが、操作ボタン２２２と２３４は一隅に面取部２２２ｃと２３４ｃを有する。
【００２３】
本実施例は、電子装置２００がデジタルカメラ１００に搭載される際には、ボタンユニット２２０及び２３０は組み合わされる。組み合わせの際には、ボタンユニット２２０の操作ボタン２２２及び２２４とボタンユニット２３０の操作ボタン２３２及び２３４がＸ方向において交互に並ぶように配置される。即ち、図２及び図５に示すように、操作ボタンは、２２２、２３２、２２４及び２３４の順番でＸ方向に一列に並ぶ。ここで、図５は、電子装置２００におけるボタンユニット２２０及び２３０の操作ボタン２２２、２２４、２３２及び２３４の配置を示す拡大平面図である。
【００２４】
図６は、電子装置２００におけるボタンユニット２２０及び２３０の表面側の分解斜視図、図７は、電子装置２００におけるボタンユニット２２０及び２３０の背面側の分解斜視図である。また、図８は、電子装置２００におけるボタンユニット２２０及び２３０の拡大底面図、図９は、図５のＡＡ断面図、図１０は、図５のＢＢ断面図である。
【００２５】
操作ボタン２２２は、平坦な被押圧面である上面（キートップ）２２２ｄと、キートップ２２４ｃの裏面である底面２２２ｅと、スイッチ押圧部２２３と、係止部２４０と、を有する。スイッチ押圧部２２３は、底面２２２ｅの中央に設けられ、キートップ２２２ｄに垂直に延びてスイッチ２１６を押圧可能に構成される。係止部２４０は、底面２２２ｅの端面２２２ａ側の２つの隅部と、端面２２２ｂ側の中央の縁部に設けられる。なお、操作ボタン２２２のみが端面２２２ａ側に２つの係止部２４０を有するが、本発明はかかる実施例に限定されない。
【００２６】
操作ボタン２２４は、平坦な被押圧面である上面（キートップ）２２４ｃと、キートップ２２４ｃの裏面である底面２２４ｄと、切欠き部２２４ｄ１と、スイッチ押圧部２２５と、係止部２４０と、を有する。切欠き部２２４ｄ１は、底面２２４ｄのＹ方向下側に設けられ、Ｘ方向に延びる。スイッチ押圧部２２５は、底面２２４ｄの中央に設けられ、キートップ２２４ｃに垂直に延びてスイッチ２１６を押圧可能に構成される。係止部２４０は、底面２２４ｄの端面２２４ａ側の中央の縁部と、端面２２４ｂ側の中央の縁部に設けられる。
【００２７】
操作ボタン２３２は、平坦な被押圧面である上面（キートップ）２３２ｃと、キートップ２３２ｃの裏面である底面２３２ｄと、切欠き部２３２ｄ１と、スイッチ押圧部２３３と、係止部２４０と、を有する。切欠き部２３２ｄ１は、底面２３２ｄのＹ方向上側に設けられ、Ｘ方向に延びる。スイッチ押圧部２３３は、底面２３２ｄの中央に設けられ、キートップ２３２ｃに垂直に延びてスイッチ２１４を押圧可能に構成される。係止部２４０は、底面２３２ｄの端面２３２ａ側の中央の縁部と、端面２３２ｂ側の中央の縁部に設けられる。
【００２８】
操作ボタン２３４は、平坦な被押圧面である上面（キートップ）２３４ｄと、キートップ２３４ｄの裏面である底面２３４ｅと、スイッチ押圧部２３５と、係止部２４０と、を有する。スイッチ押圧部２３５は、底面２３４ｅの中央に設けられ、キートップ２３４ｄに垂直に延びてスイッチ２１８を押圧可能に構成される。係止部２４０は、底面２３４ｅの端面２３４ａ側の中央の縁部と、端面２３４ｂ側の中央の縁部に設けられる。
【００２９】
各スイッチ押圧部は略円筒形状を有し、先端が面取り又は細くなっている。また、各スイッチ押圧部は、背面カバー１０４の対応する穴部１０４ｂに挿入され、対応するスイッチの真上に配置される。この結果、ユーザがいずれかの操作ボタンを押圧すると、対応するスイッチ押圧部を介して対応するスイッチが押圧されてオンになる。スイッチは、再度、対応する操作ボタンが押されるか別のボタン(例えば、操作ダイアル１１０)が押されることによってオフになる。
【００３０】
背面カバー１０４の穴部１０４ｂは、操作ボタンが押圧された場合に対応するスイッチ押圧部をスイッチまでＺ方向に案内するので、スイッチの押圧動作の信頼性を高める。穴部１０４ｂは、各操作ボタンのＸＹ方向への移動を規制している。この結果、背面カバー１０４に対するキートップの隙間を均一にすることができ、操作ボタンの端面と背面カバー１０４と衝突などしないので、各操作ボタンの操作性が向上する。
【００３１】
各係止部２４０は、図９に示すように、Ｚ方向に延びる四角柱形状の支持部２４２と、その先端に直角二等辺三角形の断面形状を有する三角柱形状（鉤状）の爪部２４４と、を有する。各爪部２４４は、各操作ボタンのキートップに平行な端面２４４ａと、斜面２４４ｂとを有する。斜面２４４ｂは各操作ボタンにおいて外側を向くように配置される。
【００３２】
各係止部２４０は、背面カバー１０４の凹部１０４ａの穴部１０４ｃに挿入される。図９に示すように、穴部１０４ｃは、Ｚ方向に延びる端面１０４ｃ１と、穴部１０４ｃ近傍の凹部１０４ａの背面１０４ｃ２と、上縁部１０４ｃ３と、によって規定されている。挿入時には、各係止部２４０の爪部２４４の斜面２４４ｂが穴部１０４ｃの上縁部１０４ｃ３に接触し、穴部１０４ｃ内に進入する。その際、支持部２４２がＸ方向又は−Ｘ方向に徐々に撓む。挿入後は、支持部２４２は、元の状態に復帰し、穴部１０４ｃのＺ方向の端面１０４ｃ１に接触又は接触可能となる。また、端面２４４ａが背面１０４ｃ２に係止される結果、ボタンユニット２２０及び２３０の−Ｚ方向への移動が規制され、背面カバー１０４から脱落することがなくなる。更に、各操作ボタンはＸ方向の両側に係止部２４０を有し、Ｘ方向の両側において、係止部２４０の支持部２４２と穴部１０４ｃの端面１０４ｃ１とは接触又は接触可能となるため、各操作ボタンのＸ方向及び−Ｘ方向の移動が規制される。
【００３３】
図９に示すように、各操作ボタンの高さは等しく、キートップ２２２ｄ、２２４ｃ、２３２ｃ及び２３４ｄは背面カバー１０４の上面と同一平面を構成する。このため、ユーザがいずれかの操作ボタンを引っ掛けることがなく誤動作を防止することによって操作性は向上している。
【００３４】
連結部２２６は、２つの操作ボタン２２２及び２２４の間に配置され、両者を離間して連結すると共に弾性力によって押圧された操作ボタンを復帰させる。連結部２２６は、Ｘ方向に延びるアーム部材である。連結部２２６は、その一端が操作ボタン２２２のＸ方向における端面２２２ｂに接続され、他端が操作ボタン２２４のＸ方向における端面２２４ａに接続される。
【００３５】
連結部２３６は、２つの操作ボタン２３２及び２３４の間に配置され、両者を離間して連結すると共に弾性力によって押圧された操作ボタンを復帰させる。連結部２３６は、Ｘ方向に延びるアーム部材である。連結部２３６は、その一端が操作ボタン２３２のＸ方向における端面２３２ｂに接続され、他端が操作ボタン２３４のＸ方向における端面２３４ａに接続される。
【００３６】
このように、連結部２２６は、一対の操作ボタン２２２及び２２４のＹ方向の長さＨの範囲内に配置され、連結部２３６は、一対の操作ボタン２３２及び２３４のＹ方向の長さＨの範囲内に配置される。連結部２２６及び２３６は、特許文献１の支持部のようにＹ方向に延びず、また、特許文献１のベースのように操作ボタンのＹ方向の長さの範囲外に配置されないため、ボタンユニット２２０及び２３０をＹ方向に小型化している。
【００３７】
図５に示すように、ボタンユニット２２０及び２３０を組み合わせて配置すると、連結部２２６は、操作ボタン２２２及び２２４の間に配置された別の操作ボタン２３２の下に配置される。また、連結部２３６は、操作ボタン２３２及び２３４の間に配置された別の操作ボタン２２４の下に配置される。換言すれば、２つのボタンユニット２２０及び２３０の一方のボタンユニット２２０の連結部２２６は他方のボタンユニット２３０の操作ボタン２３２の下に配置される。また、２つのボタンユニット２２０及び２３０の他方のボタンユニット２３０の連結部２３６は一方のボタンユニット２２０の操作ボタン２２４の下に配置される。Ｚ方向の上側から見た場合に、連結部２２６及び２３６が、図５に示すように、操作ボタン２２２、２２４、２３２及び２３４の外部に位置しないのでＹ方向の長さが特許文献１よりも小さくなっている。
【００３８】
上述したように、各操作ボタンにはスイッチ押圧部が設けられているので、連結部２２６及び２３６はそれを回避するように配置される。その場合、Ｙ方向において、スイッチ押圧部に関して同じ側に２つの連結部を設けると干渉してしまう。このため、図８に示すように、２つのボタンユニット２２０及び２３０の各連結部２２６及び２３６は、スイッチ押圧部２２３、２３３、２２５、２３５の中心を通り、操作ボタンの列方向（Ｘ方向）に平行な方向に関して反対側に配置される。
【００３９】
本実施例では、連結部２２６をＹ方向においてスイッチ押圧部２３３よりも下側に設けており、連結部２３６をＹ方向においてスイッチ押圧部２２５よりも上側に設けている。本実施例では、連結部２２６は操作ボタン２３２の底面２３２ｄの切欠き部２３２ｄ１に位置し、連結部２３６は操作ボタン２２４の底面２２４ｄの切欠き部２２４ｄ１に位置する。図６に示すように、操作ボタン２２４において、切欠き部２２４ｄ１が設けられている側と、連結部２２６が接続されている側がスイッチ押圧部２２５に関して反対側であることが理解される。同様に、操作ボタン２３２において、切欠き部２３２ｄ１が設けられている側と、連結部２３６が接続されている側がスイッチ押圧部２３３に関して反対側であることが理解される。
【００４０】
連結部２２６は、略四角形形状を有し、中央にキートップ２２２ｄ及び２２４ｃに垂直に延びる（即ち、Ｚ方向に延びる）突起２２７を有する。同様に、連結部２３６は、略四角形形状を有し、中央にキートップ２２２ｄ及び２２４ｃに延びる（即ち、Ｚ方向に延びる）突起２３７を有する。突起２２７及び２３７は四角柱形状を有する。
【００４１】
図１０に示すように、突起２２７及び２３７は、背面カバー１０４の穴部１０４ｄに挿入及び固定される。操作ボタン２２２は、連結部２２６の突起２２７と端面２２２ｂとの接続部の間の弾性力を利用してＺ方向に変位可能であり、押圧された場合に原位置に復帰することができる。操作ボタン２２４は、連結部２２６の突起２２７と端面２２４ａとの接続部の間の弾性力を利用してＺ方向に変位可能であり、押圧された場合に原位置に復帰することができる。同様に、操作ボタン２３２は、連結部２３６の突起２３７と端面２３２ｂとの接続部の間の弾性力を利用してＺ方向に変位可能であり、押圧された場合に原位置に復帰することができる。操作ボタン２３４は、連結部２３６の突起２２７と端面２３４ａとの接続部の間の弾性力を利用してＺ方向に変位可能であり、押圧された場合に原位置に復帰することができる。
【００４２】
一対のボタンユニット２２０及び２３０が背面カバー１０４に取り付けられた状態において、突起２２７及び２３７と穴部１０４ｄが、Ｚ方向の上側から見たときに、図５に示すように、操作ボタン２３２及び２２４の面内に配置されている。かかる構成により、電子装置２００をＹ方向に小型化することができる。
【００４３】
動作において、操作ボタンが押圧されるとスイッチ押圧部が穴部１０４ｂによって案内されてスイッチを押圧する。また、押圧された操作ボタンは、連結部の突起と対応する操作ボタンとの間の接続部との間の弾性力により、原位置に復帰する。電子装置２００は、特許文献１のようなベースと支持部が存在しないのでＹ方向に小型化されている。また、特許文献１のようにケースの突起をベースに挿入しないので、各部の変形を防止することができる。更に、特許文献１のベースとケースとの固定ように接着剤を使用していないので接着剥がれが生じない。
【実施例２】
【００４４】
図１１は、本発明の実施例２の電子装置に適用可能なボタンユニット２５０及び２７０を組み合わせて配置した状態を示す斜視図である。図１２は、ボタンユニット２５０及び２７０の表側の斜視図である。図１３は、図１２に示すボタンユニット２５０及び２７０の上面図である。
【００４５】
ボタンユニット（第１のボタンユニット）２５０は、導光部材２５１と、３つ操作ボタン２５２、２５４、２５６と、連結部２６０、２６５とを有する。ボタンユニット（第２のボタンユニット）２７０は、３つ操作ボタン２７２、２７４、２７６と、連結部２８０、２８５とを有する。
【００４６】
導光部材２５１は導光部材２２１と同様である。３つの操作ボタン２５２、２５４及び２５６はＸ方向に等間隔で並び、３つの操作ボタン２７２、２７４及び２７６はＸ方向に等間隔で並ぶ。各操作ボタンは実施例１と同様の構造及び機能を有する。操作ボタン２５２と操作ボタン２７６が面取部２５２ａ及び２７６ａを有する点も同様である。本実施例においても、ボタンユニット２５０及び２７０を、それらの操作ボタンがＸ方向において交互に並ぶように組み合わせて配置している。この結果、図１１に示すように、操作ボタンは、２５２、２７２、２５４、２７４、２５６及び２７６の順番でＸ方向に並ぶ。
【００４７】
操作ボタン２５２は、キートップ２５２ｂ、底面２５２ｃ、スイッチ押圧部２５３を有する。操作ボタン２５４は、キートップ２５４ａ、底面２５４ｂ、切欠き部２５４ｂ１、スイッチ押圧部２５５を有する。操作ボタン２５６は、キートップ２５６ａ、底面２５６ｂ、切欠き部２５６ｂ１、スイッチ押圧部２５７を有する。操作ボタン２７２は、キートップ２７２ａ、底面２７２ｂ、切欠き部２７２ｂ１、スイッチ押圧部２７３を有する。操作ボタン２７４は、キートップ２７４ａ、底面２７４ｂ、切欠き部２７４ｂ１、スイッチ押圧部２７５を有する。操作ボタン２７６は、キートップ２７６ａ、底面２７６ｂ、スイッチ押圧部２７７を有する。キートップ、底面、切欠き部、スイッチ押圧部の構成及び機能は実施例１と同様である。
【００４８】
連結部２６０は、一対の操作ボタン２５２及び２５４の間に配置されて両者を離間して連結し、Ｘ方向に延びるアーム部材であり、中央にＺ方向に延びる突起２６２を有する。連結部２６５は、一対の操作ボタン２５４及び２５６の間に配置されて両者を離間して連結し、Ｘ方向に延びるアーム部材であり、中央にＺ方向に延びる突起２６７を有する。連結部２８０は、一対の操作ボタン２７２及び２７４の間に配置されて両者を離間して連結し、Ｘ方向に延びるアーム部材であり、中央にＺ方向に延びる突起２８２を有する。連結部２８５は、一対の操作ボタン２７４及び２７６の間に配置されて両者を離間して連結し、Ｘ方向に延びるアーム部材であり、中央にＺ方向に延びる突起２８７を有する。連結部の各部の基本的な機能は実施例１と同様であるが、本実施例では新たな機能が追加されている。
【００４９】
実施例１では全ての操作ボタンが連結部に一端でのみ接続されている。これに対して、本実施例では、操作ボタンは、連結部と一端のみで接続されている操作ボタン（第１の操作ボタン）２５２、２５６、２７２及び２７６と、連結部と両端で接続されている操作ボタン（第２の操作ボタン）２５４及び２７４に分類される。一端でのみ連結部に接続される操作ボタンは片持ち梁とみなすことができ、両端で連結部に接続される操作ボタンは両持ち梁とみなすことができる。そして、連結部の弾性力から、全ての連結部を同一形状とすると、片持ち梁の操作ボタンが受ける弾性力と両持ち梁の操作ボタンが受ける弾性力が相違するために、操作感が変化して操作性が悪くなる。そこで、本実施例では、各操作ボタンの操作感を同等にするために、第１の操作ボタンに接続されている端部と突起との間の連結部の部分を、第２の操作ボタンに接続されている端部と突起との間の連結部の部分よりも大きくしている。
【００５０】
本実施例では、図１３の点線で示すように、両持ち梁である操作ボタン２５４及び２７４の連結部２６０及び２６５のＹ方向の幅を片持ち梁である操作ボタン２５２、２５６、２７２及び２７６のＹ方向の幅よりも小さくしている。
【００５１】
尚、本実施例は  連結部のＹ方向の幅を調整することにより各操作ボタンの操作力を同等としたが、これに限らず、アーム肉厚・アーム上の支点部の位置等を調整する事によっても同等の効果が得られる。
【００５２】
また、図１４に示すように、導光部材２２１Ａを操作ボタン２２２Ａの中央に配置する場合、スイッチ押圧部２２３Ａが導光部材２２１Ａを兼ねるようにしてもよい。この時、図１５及び図１６に示すように、導光部材２２１Ａを操作ボタン２２２Ａの上面２２２ｄ側から挿入可能にして一体に構成すると、操作ボタン２２２Ａを押圧した場合の導光部材２２１Ａの剥がれ等のリスクも低減する。更に、図１６に示すように、導光部材２２１Ａのスイッチ押圧部近傍から外観面近傍までを  操作ボタン部で覆うような構成をとると周辺への光漏れも低減する。
【００５３】
以上、本発明の好ましい実施例について説明したが、本発明はこれらの実施例に限定されないことはいうまでもなく、その要旨の範囲内で種々の変形及び変更が可能である。例えば、本発明が適用可能な電子機器はデジタルカメラに限定されず、携帯電話、パーソナルデジタルアシスタント（ＰＤＡ）、ノート型パーソナルコンピュータ（ＰＣ）、ゲーム機などにも適用可能である。
【図面の簡単な説明】
【００５４】
【図１】本発明の実施例１のデジタルカメラ（電子機器）の正面側の斜視図である。
【図２】図１に示すデジタルカメラの背面側の斜視図である。
【図３】図１に示すデジタルカメラの底面図である。
【図４】図１に示すデジタルカメラの背面側の分解斜視図である。
【図５】図２のデジタルカメラの部分拡大平面図である。
【図６】図４に示すデジタルカメラのボタンユニットの表面側の斜視図である。
【図７】図６に示すボタンユニットの背面側の斜視図である。
【図８】図５に示すボタンユニットの拡大底面図である。
【図９】図５のＡＡ断面図である。
【図１０】図５のＢＢ断面図である。
【図１１】本発明の実施例２の電子装置に適用可能なボタンユニットを組み合わせて配置した状態を示す斜視図である。
【図１２】図１１に示すボタンユニットの表側の斜視図である。
【図１３】図１２に示すボタンユニットの上面図である。
【図１４】図４に示すボタンユニットの変形例の斜視図である。
【図１５】図１４の部分拡大斜視図である。
【図１６】図１４の部分拡大断面図である。
【符号の説明】
【００５５】
１００                                デジタルカメラ（電子機器）
２００                                電子装置
２１０                                基板
２２０、２３０、２５０、２７０        ボタンユニット
２２２、２２４、２３２、２３４        操作ボタン
２２６、２３６、２６０、２６５、２８０、２８５        連結部
【図３】
0005004715.tif 000002
【図１】
0005004715.tif 000003
【図２】
0005004715.tif 000004
【図４】
0005004715.tif 000005
【図５】
0005004715.tif 000006
【図６】
0005004715.tif 000007
【図７】
0005004715.tif 000008
【図８】
0005004715.tif 000009
【図９】
0005004715.tif 000010
【図１０】
0005004715.tif 000011
【図１１】
0005004715.tif 000012
【図１２】
0005004715.tif 000013
【図１３】
0005004715.tif 000014
【図１４】
0005004715.tif 000015
【図１５】
0005004715.tif 000016
【図１６】
0005004715.tif 000017